(57)【要約】【課題】シール部の過熱を抑制して電池性能の低下を抑制することのできる二次電池の冷却構造を提供する。【解決手段】二次電池は、電極体に接合された集電端子と、電極体及び集電端子を収納するセルケースと、を備える。セルケースは、上蓋と、第一側面部と、第一側面部に対面する第二側面部と、を含んで構成される。集電端子は、上蓋に面し、シール部を介して外部端子へと接合される上端面部と、上端面部の第一辺から第一側面部に沿って下方へ伸びる第一放熱面部と、第一放熱面部から下方へと伸びて電極体に接合される第一接合部と、を含む第一端子部と、上端面部の第一辺の対辺である第二辺から第二側面部に沿って下方へ伸びる第二放熱面部を含む第二端子部と、を含んで構成される。【選択図】図３
2020107439.tif 000002
【特許請求の範囲】
【請求項１】
電極体と、前記電極体に接合された集電端子と、前記電極体及び前記集電端子を収納するセルケースと、を備えた二次電池の冷却構造であって、
前記セルケースは、
上蓋と、
第一側面部と、
前記第一側面部に対面する第二側面部と、を含み、
前記集電端子は、
前記上蓋に面し、シール部を介して外部端子へと接合される上端面部と、
前記上端面部の第一辺から前記第一側面部に沿って下方へ伸びる第一放熱面部と、前記第一放熱面部から下方へと伸びて前記電極体に接合される第一接合部と、を含む第一端子部と、
前記上端面部の前記第一辺の対辺である第二辺から前記第二側面部に沿って下方へ伸びる第二放熱面部を含む第二端子部と、を含むことを特徴とする二次電池の冷却構造。
【請求項２】
前記第一放熱面部及び前記第二放熱面部は、絶縁フィルムを挟んで前記第一側面部及び前記第二側面部にそれぞれ密接するように構成されていることを特徴とする請求項１に記載の二次電池の冷却構造。
【請求項３】
前記第一接合部は、前記第一放熱面部及び前記第二放熱面部よりも前記セルケースの内側寄りに位置し、
前記第一側面部又は前記第二側面部には、前記第一接合部に面する部分の少なくとも一部を前記第一接合部の側へと凹ませた凹部が形成されていることを更に備えることを特徴とする請求項１又は２に記載の二次電池の冷却構造。
【請求項４】
前記第二端子部は、前記第二放熱面部の下端から更に下方に向かって伸びて前記電極体に接合される第二接合部を更に含むことを特徴とする請求項１乃至３の何れか１項に記載の二次電池の冷却構造。
【請求項５】
積層された複数の前記二次電池の間に配置されたセパレータを更に備え、
前記第一放熱面部又は前記第二放熱面部と向かい合う位置に、冷却用の熱媒体が流通するための通路が形成されていることを特徴とする請求項１乃至４の何れか１項に記載の二次電池の冷却構造。
【請求項６】
電極体と、前記電極体に接合された集電端子と、前記電極体及び前記集電端子を収納するセルケースと、を備えた二次電池の冷却構造であって、
前記セルケースは、
上蓋と、
第一側面部と、
前記第一側面部に対面する第二側面部と、を含み、
前記集電端子は、
前記上蓋に面し、シール部を介して外部端子へと接合される上端面部と、
前記上端面部の第一辺から前記第一側面部に沿って下方へ伸びる第一放熱面部と、前記第一放熱面部から下方へと伸びて前記電極体に接合される第一接合部と、を含む第一端子部
を含み、
前記第一接合部は、前記第一放熱面部よりも前記セルケースの内側寄りに位置し、
前記第一側面部又は前記第二側面部のうちの少なくとも一方には、前記第一接合部に面する部分の少なくとも一部を前記第一接合部の側へと凹ませた凹部が形成されていることを特徴とする二次電池の冷却構造。
【発明の詳細な説明】
【技術分野】
【０００１】
本発明は、車載用途に適した二次電池の冷却構造に関する。
【背景技術】
【０００２】
特許文献１には、集電板で発生した熱を効率よく外部へと放出するための角型二次電池の冷却構造に関する技術が開示されている。この角型二次電池は、正極電極箔露出部、負極電極箔露出部を有する正極電極、負極電極が捲き回された捲回群と、捲回群を収納する電池缶と、正極電極箔露出部、負極電極箔露出部に接合された正極集電板、負極集電板とを備えている。正極集電板には、正極電極箔接合部より下方に突出する突出部が設けられている。そして、突出部の先端は、電池缶の内部に充填されている遊離液の液面よりも下方に位置している。このような構成によれば、集電板で発生した熱を突出部と遊離液を介して外部へ放出することができるとしている。
【先行技術文献】
【特許文献】
【０００３】
【特許文献１】特開２０１５−２２２６６３号公報
【発明の概要】
【発明が解決しようとする課題】
【０００４】
二次電池の上蓋には、外部端子が設けられている。集電端子の上端は、シール部を介して当該外部端子に接続されている。上記の技術では、下方に突出した突出部を介して集電端子の熱を外部へ放出する構成としている。このような構成によれば、集電端子の上端面側の熱の放出が不十分となるおそれがある。その結果、集電端子の上端面側が過熱するとシール部によるシール性能が低下するおそれがある。この場合、二次電池の出力を制限せざるを得ず、電池性能を最大限に活かすことができないおそれがある。
【０００５】
本発明は、上述のような課題に鑑みてなされたもので、シール部の過熱を抑制して電池性能の低下を抑制することのできる二次電池の冷却構造を提供することを目的とする。
【課題を解決するための手段】
【０００６】
第１の発明は、上記の課題を解決するため、電極体と、電極体に接合された集電端子と、電極体及び集電端子を収納するセルケースと、を備えた二次電池の冷却構造に適用される。セルケースは、上蓋と、第一側面部と、第一側面部に対面する第二側面部と、を含んでいる。そして、集電端子は、上蓋に面し、シール部を介して外部端子へと接合される上端面部と、上端面部の第一辺から第一側面部に沿って下方へ伸びる第一放熱面部と、第一放熱面部から下方へと伸びて電極体に接合される第一接合部と、を含む第一端子部と、上端面部の第一辺の対辺である第二辺から第二側面部に沿って下方へ伸びる第二放熱面部を含む第二端子部と、を含んでいる。
【０００７】
第２の発明は、第１の発明において、更に以下の特徴を有している。
第一放熱面部及び第二放熱面部は、絶縁フィルムを挟んで第一側面部及び第二側面部にそれぞれ密接するように構成されている。
【０００８】
第３の発明は、第１又は第２の発明において、更に以下の特徴を有している。
第一接合部は、第一放熱面部及び第二放熱面部よりもセルケースの内側寄りに位置している。第一側面部又は第二側面部には、第一接合部に面する部分の少なくとも一部を第一接合部の側へと凹ませた凹部が形成されている。
【０００９】
第４の発明は、第１乃至第３の何れか１つの発明において、更に以下の特徴を有している。
第二端子部は、第二放熱面部の下端から更に下方に向かって伸びて電極体に接合される第二接合部を更に含んでいる。
【００１０】
第５の発明は、第１乃至第４の何れか１つの発明において、更に以下の特徴を有している。
積層された複数の二次電池の間には、セパレータが配置されている。そして、セパレータには、第一放熱面部又は第二放熱面部と向かい合う位置に、冷却用の熱媒体が流通するための通路が形成されている。
【００１１】
第６の発明は、上記の課題を解決するため、電極体と、電極体に接合された集電端子と、電極体及び集電端子を収納するセルケースと、を備えた二次電池の冷却構造に適用される。セルケースは、上蓋と、第一側面部と、第一側面部に対面する第二側面部と、を含んでいる。集電端子は、上蓋に面し、シール部を介して外部端子へと接合される上端面部と、上端面部の第一辺から第一側面部に沿って下方へ伸びる第一放熱面部と、第一放熱面部から下方へと伸びて電極体に接合される第一接合部と、を含む第一端子部を含んでいる。第一接合部は、第一放熱面部よりもセルケースの内側寄りに位置している。そして、第一側面部又は第二側面部のうちの少なくとも一方には、第一接合部に面する部分の少なくとも一部を第一接合部の側へと凹ませた凹部が形成されている。
【発明の効果】
【００１２】
第１の発明によれば、集電端子の上端面部には、セルケースの第一側面部に沿って下方に伸びる第一放熱面部と、第一側面部に対向する第二側面部に沿って伸びる第二放熱面部とが接合されている。このような構成によれば、集電端子の熱が第一放熱面部及び第二放熱面部の両方からセルケースの側面へと伝達されて放出される。これにより、集電端子の上端面部の過熱を抑制することができるので、上端面部に接しているシール部の過熱を抑えて電池性能の低下を抑制することが可能となる。
【００１３】
第２の発明によれば、第一放熱面部及び第二放熱面部は、絶縁フィルムを挟んで第一側面部及び第二側面部にそれぞれ密接するように構成されている。このような構成によれば、集電端子の熱を第一放熱面部及び第二放熱面部の両方からセルケースの側面へと効率よく放出することができる。
【００１４】
第３の発明によれば、セルケースの第一側面部又は第二側面部に凹部が形成されている。このような構成によれば、側面の凹部が接合部に近接するので、集電端子の接合部からセルケースへの放熱を促進することができる。
【００１５】
第４の発明によれば、第２放熱面部から下方に伸びる第二接合部が電極体に接合されている。このような構成によれば、電極体から外部端子までの通電経路が２系統となるため、集電端子の発熱を抑制することができる。
【００１６】
第５の発明によれば、セパレータは、第一放熱面部又は第二放熱面部と向かい合う位置に、冷却用の熱媒体が流通するための通路が設けられている。このような構成によれば、集電端子の熱を、第一放熱面部又は第二放熱面部から熱媒体へと効率よく放出することが可能となる。
【００１７】
第６の発明によれば、セルケースの第一側面部又は第二側面部に凹部が形成されている。このような構成によれば、側面の凹部が接合部に近接するので、集電端子の接合部からセルケースへの放熱を促進することができる。
【図面の簡単な説明】
【００１８】
【図１】比較例の二次電池を正面から見た部分断面図である。
【図２】比較例の二次電池を正極側の側面から見た部分断面図である。
【図３】実施の形態１の二次電池を側面から見た部分断面図である。
【図４】実施の形態１に係る二次電池を正面から見た部分断面図である。
【図５】実施の形態２に係る二次電池を正極側の側面から見た部分断面図である。
【図６】実施の形態２の変形例に係る二次電池を正極側の側面から見た部分断面図である。
【図７】実施の形態３に係る二次電池を正極側の側面から見た部分断面図である。
【図８】実施の形態３の変形例に係る二次電池を正極側の側面から見た部分断面図である。
【図９】実施の形態４に係る二次電池を正極側の側面から見た部分断面図である。
【発明を実施するための形態】
【００１９】
以下、図面を参照して本発明の実施の形態について説明する。ただし、以下に示す実施の形態において各要素の個数、数量、量、範囲等の数に言及した場合、特に明示した場合や原理的に明らかにその数に特定される場合を除いて、その言及した数に、この発明が限定されるものではない。また、以下に示す実施の形態において説明する構造やステップ等は、特に明示した場合や明らかに原理的にそれに特定される場合を除いて、この発明に必ずしも必須のものではない。
【００２０】
１．実施の形態１．
実施の形態１の二次電池の冷却構造について図を参照して説明する。
【００２１】
１−１．実施の形態１の二次電池の比較例の概略構成
実施の形態１の二次電池の構成の説明に先立って、実施の形態１の二次電池の比較例の構成について説明する。図１は、比較例の二次電池を正面から見た部分断面図である。また、図２は、比較例の二次電池を正極側の側面から見た部分断面図である。これらの図において例示される二次電池１００は、角型のリチウムイオン二次電池である。二次電池１００は、電極体１０と、セルケース１２とを備えている。
【００２２】
セルケース１２は、ケース本体１２２と、上蓋１２４とを備えている。ケース本体１２２は、矩形状に形成された底面部１２２ａと、底面部１２２ａの周囲から立ち上がる側面部１２２ｂ，１２２ｃ，１２２ｄ，１２２ｅとを有した角型のケースである。側面部１２２ｂ，１２２ｃは、幅広の互いに対面する側面として構成されている。また、側面部１２２ｄ，１２２ｅは、側面部１２２ｂ，１２２ｃよりも幅狭の互いに対面する側面として構成されている。上蓋１２４は、ケース本体１２２の開口部を塞ぐように矩形状に構成されている。
【００２３】
電極体１０は、例えば、正極シートと、負極シートと、セパレータとを有している。正極シートは、例えば正極集電箔と、正極活物質を含む正極活物質層とを有している。正極集電箔は、帯状のシートである。正極集電箔には、幅方向片側の縁に沿って露出部１０２が設けられている。正極集電箔の両面には、露出部１０２を除いて正極活性物質層が形成されている。
【００２４】
負極シートは、例えば負極集電箔と、負極活物質を含む負極活物質層とを有している。負極集電箔は、銅箔等の帯状のシートである。負極集電箔には、幅方向片側の縁に沿って露出部１０４が設けられている。負極集電箔の両面には、露出部１０４を除いて負極活性物質層が形成されている。
【００２５】
正極シートと負極シートとは、長さ方向の向きを揃えてセパレータを挟んで、正極活物質層と負極活物質層とが対向するように重ねられている。この際、セパレータの幅方向の片側に正極集電箔の露出部１０２がはみ出し、当該幅方向の反対側に負極集電箔の露出部１０４がはみ出すように、正極シートと負極シートとが重ねられている。正極シートと負極シートとセパレータは、上記のように重ねられた状態で巻き回されている。このような巻回電極体の構成によれば、電極体１０の幅方向の両端に平板状の露出部１０２，１０４が形成される。電極体１０は、絶縁フィルム１４に包まれてケース本体１２２の内部に収納されている。
【００２６】
二次電池１００は、正極側の集電端子１６２及び外部端子１８２と、負極側の集電端子１６４及び外部端子１８４と、を備えている。集電端子１６２，１６４は、セルケース１２の内部に配置される。外部端子１８２，１８４は、セルケース１２の外部に配置される。正極側の集電端子１６２及び外部端子１８２は、例えばアルミニウム合金を用いることができる。負極側の集電端子１６４及び外部端子１８４は、例えば銅合金を用いることができる。
【００２７】
正極側の露出部１０２及び負極側の露出部１０４は、それぞれ集電端子１６２の第一接合部１６２ｄ、及び集電端子１６４の第一接合部１６４ｄに超音波溶着によって接合されている。そして、正極側の露出部１０２は、集電端子１６２を介して正極側の外部端子１８２と電気的に接続されている。また、負極側の露出部１０４は、集電端子１６４を介して負極側の外部端子１８４と電気的に接続されている。このような構成によれば電極体１０は、集電端子１６２，１６４を介して外部負荷に電力を供給し、又は集電端子１６２，１６４を介して外部から電力が供給される。
【００２８】
上蓋１２４には、正極側の集電端子１６２及び外部端子１８２と、負極側の集電端子１６４及び外部端子１８４とを絶縁するための絶縁性のシール部２０が設けられている。シール部２０は、例えば絶縁性を有する樹脂材料を用いることができる。また、上蓋１２４には、ケース本体１２２の内部に電解液を充填するための図示しない注液口が設けられている。
【００２９】
外部端子１８２，１８４と集電端子１６２，１６４とは、それぞれ外部端子１８２，１８４の先端を加締めることにより上蓋１２４と一体に固定されている。具体的には、正極側の外部端子１８２と集電端子１６２とは、絶縁性を有するシール部２０を介在させて外部端子１８２の先端部１８２ａを加締めることによって固定される。また、負極側の外部端子１８４と集電端子１６４とは、絶縁性を有するシール部２０を介在させて外部端子１８４の先端部１８４ａを加締めることによって固定される。
【００３０】
１−２．比較例の二次電池の冷却構造
次に、比較例の二次電池１００の冷却構造について更に詳細に説明する。なお、以下の説明では、正極側の集電端子１６２を例に説明するが、負極側の集電端子１６４についても同等の構成を備えているものとする。
【００３１】
図２に示すように、集電端子１６２は、上端面部１６２ａと、第一放熱面部１６２ｂと、第一側面部１６２ｃと、第一接合部１６２ｄと、を含んでいる。上端面部１６２ａは、上蓋１２４の下面に対向して配置される平板状の部分である。上述した外部端子１８２は、上端面部１６２ａに接合される。第一放熱面部１６２ｂは、上端面部１６２ａの側端となる第一辺からケース本体１２２の側面部１２２ｂに沿って下方に伸びる平板状の部分である。第一放熱面部１６２ｂは、絶縁フィルム１４を介してケース本体１２２の側面部１２２ｂに密接するように配置される。
【００３２】
第一側面部１６２ｃは、第一放熱面部１６２ｂの下端からセルケース１２の内側寄りに向かって伸びる平板状の部分である。第一接合部１６２ｄは、電極体１０の露出部１０２に接合される部分である。第一接合部１６２ｄは、第一側面部１６２ｃの下端から露出部１０２に沿って下方に伸びている。このような構成によれば、第一接合部１６２ｄは、第一放熱面部１６２ｂよりもセルケース１２の内側寄りに位置する。
【００３３】
集電端子１６２は、外部端子１８２と電極体１０の露出部１０２を電気的に接続している。このため、外部端子１８２が外部負荷に接続されて集電端子１６２に電気が流れると、集電端子１６２の電気抵抗によってジュール熱が発生する。発生した熱は、第一放熱面部１６２ｂからケース本体１２２の側面部１２２ｂに放出される。これにより、集電端子１６２の上端面部１６２ａの過熱を抑制している。
【００３４】
１−２．比較例の二次電池の冷却構造の課題
複数の二次電池１００を積層して電池パックを構成する場合を考える。低コスト化の一手段として、電池パックを構成する二次電池１００の積層数を削減することが有効である。しかし、積層数を削減した電池パックにおいて、削減前の出力を維持するためには、各二次電池１００の大電流化が必要となる。この場合、二次電池１００の過熱による電池性能の低下が問題となる。特に、集電端子１６２の過熱によってシール部２０によるシール性能が悪化すると、電池出力を制限することが必要となる。この場合、二次電池１００の電池性能を使い切ることができなくなる。
【００３５】
１−３．実施の形態１の二次電池の冷却構造の特徴
実施の形態１の二次電池１００は、上述の比較例の二次電池１００の課題を解決すべく、以下のような二次電池の冷却構造を備えている。図３は、実施の形態１の二次電池を側面から見た部分断面図である。なお、図３において、図２に示す比較例の二次電池と共通する要素については、同じ符号を付してその説明を省略又は簡略化する。また、以下の説明では、正極側の集電端子１６２を例に説明するが、負極側の集電端子１６４についても同等の構成を備えているものとする。
【００３６】
図３に示すように、実施の形態１の二次電池１００の集電端子１６２は、第二放熱面部１６２ｅを更に備えている。第二放熱面部１６２ｅは、上端面部１６２ａの第一辺の対辺となる第二辺からケース本体１２２の側面部１２２ｃに沿って下方に伸びる平板状の部分である。つまり、第二放熱面部１６２ｅは、第一放熱面部１６２ｂと向かい合う位置において、絶縁フィルム１４を介してケース本体１２２の側面部１２２ｃに密接するように配置される。
【００３７】
以上のように構成された実施の形態１の二次電池１００によれば、集電端子１６２において発生した熱が、第一放熱面部１６２ｂと第二放熱面部１６２ｅの両方からケース本体１２２に放出される。これにより、集電端子１６２からセルケース１２へと放出される熱量を増やすことができるので、集電端子１６２の上端面部１６２ａの過熱を効果的に抑制することができる。これにより、シール部２０のシール性能の悪化を防ぐことができるので、二次電池１００の過熱に伴う電池性能の低下を抑制することが可能となる。
【００３８】
なお、実施の形態１の二次電池１００の冷却構造では、上端面部１６２ａ、第一放熱面部１６２ｂ、第一側面部１６２ｃ、及び第一接合部１６２ｄが、本発明の「第一端子部」に相当し、第二放熱面部１６２ｅが、本発明の「第二端子部」に相当している。
【００３９】
１−４．実施の形態１の二次電池の冷却構造の変形例
実施の形態１の二次電池１００は、以下のように変形した冷却構造を採用してもよい。
【００４０】
第二放熱面部１６２ｅは、側面部１２２ｃの側において、側面部１２２ｃに沿って下方に伸びるように構成されていれば、その形状、板厚等に限定はない。また、第二放熱面部１６２ｅの形成方法についても限定はない。すなわち、第二放熱面部１６２ｅは、上端面部１６２ａを第二辺で折曲させて形成してもよいし、また、別部品としての第二放熱面部１６２ｅを上端面部１６２ａとともに加締める構成でもよい。
【００４１】
第一放熱面部１６２ｂは、絶縁フィルム１４を介して側面部１２２ｂに近接して配置されていれば、必ずしも側面部１２２ｂに密接している必要はない。同様に、第二放熱面部１６２ｅは、絶縁フィルム１４を介して側面部１２２ｃに近接して配置されていれば、必ずしも側面部１２２ｃに密接している必要はない。
【００４２】
２．実施の形態２．
実施の形態２の二次電池の冷却構造について説明する。
【００４３】
２−１．実施の形態２に係る二次電池の冷却構造の特徴
図４は、実施の形態１に係る二次電池を正面から見た部分断面図である。また、図５は、実施の形態２に係る二次電池を正極側の側面から見た部分断面図である。なお、これらの図において、図１及び図２に示す実施の形態１に係る二次電池１００と共通する要素については、同じ符号を付してその説明を省略又は簡略化する。また、以下の説明では、正極側の集電端子１６２を例に説明するが、負極側の集電端子１６４についても同等の構成を備えているものとする。
【００４４】
図４及び図５に示すように、実施の形態２の二次電池１００のセルケース１２は、凹部１２６を備えている。凹部１２６は、正面視において少なくとも第一接合部１６２ｄの一部と重なる位置において、側面部１２２ｂ，１２２ｃをケース本体１２２の内側に向かって加締めて凹ませることによって形成されている。凹部１２６の凹量は、例えば、凹部１２６が絶縁フィルム１４を介して第一接合部１６２ｄ又は露出部１０２に密接する量に設定することができる。
【００４５】
以上のように構成された実施の形態２の二次電池１００によれば、集電端子１６２において発生した熱が、第一接合部１６２ｄからケース本体１２２の凹部１２６に放出される。これにより、集電端子１６２からケース本体１２２へと放出される熱量を増やすことができるので、シール部２０の過熱によるシール性能の悪化を防ぐことができる。
【００４６】
２−２．実施の形態２の二次電池の冷却構造の変形例
実施の形態２の二次電池１００は、以下のように変形した冷却構造を採用してもよい。
【００４７】
凹部１２６は、側面部１２２ｂ及び側面部１２２ｃのうちの一方の側面のみに形成される態様でもよい。また、実施の形態２の凹部１２６は、正面視において矩形の凹みとなるように構成されているが、他の形状となるように構成されていてもよい。
【００４８】
実施の形態２の二次電池１００は、実施の形態１の二次電池１００の冷却構造と組み合わせてもよい。図６は、実施の形態２の変形例に係る二次電池を正極側の側面から見た部分断面図である。この図に示す変形例に係る二次電池１００では、集電端子１６２は、第二放熱面部１６２ｅを備えるとともに、セルケース１２は凹部１２６を備えている。このような構成によれば、集電端子１６２からセルケース１２へと放出される熱量をさらに増やすことができるので、二次電池１００の性能低下を更に抑えることが可能となる。
【００４９】
３．実施の形態３．
実施の形態３の二次電池の冷却構造について説明する。
【００５０】
３−１．実施の形態３に係る二次電池の冷却構造の特徴
図７は、実施の形態３に係る二次電池を正極側の側面から見た部分断面図である。なお、この図において、図３に示す実施の形態１に係る二次電池１００と共通する要素については、同じ符号を付してその説明を省略又は簡略化する。また、以下の説明では、正極側の集電端子１６２を例に説明するが、負極側の集電端子１６４についても同等の構成を備えているものとする。
【００５１】
図７に示すように、実施の形態２の二次電池１００の集電端子１６２は、第二側面部１６２ｆと、第二接合部１６２ｇとを含んでいる。第二側面部１６２ｆは、第二放熱面部１６２ｅの下端からセルケース１２の内側寄りに向かって伸びる平板状の部分である。第二接合部１６２ｇは、電極体１０の露出部１０２の裏面側に接合される部分である。第二接合部１６２ｇは、第二側面部１６２ｆの下端から露出部１０２に沿って下方に伸びている。このような構成によれば、第二接合部１６２ｇは、第二放熱面部１６２ｅよりもセルケース１２の内側寄りに位置する。
【００５２】
以上のように構成された実施の形態３の二次電池１００によれば、電極体１０の露出部１０２から集電端子１６２を介して外部端子１８２へと通電する経路として、２つの経路が形成される。具体的には、第一の経路は、電極体１０の露出部１０２から第一接合部１６２ｄ、第一側面部１６２ｃ、第一放熱面部１６２ｂ、及び上端面部１６２ａを介在して外部端子１８２へと通電する経路である。また、第二の経路は、電極体１０の露出部１０２から第二接合部１６２ｇ、第二側面部１６２ｆ、第二放熱面部１６２ｅ、及び上端面部１６２ａを介在して外部端子１８２へと通電する経路である。このような構成によれば、集電端子１６２において発生するジュール熱が減少するので、シール部２０の過熱によるシール性能の悪化を防ぐことができる。これにより、二次電池１００の性能低下を有効に抑制することが可能となる。
【００５３】
なお、実施の形態３の二次電池１００の冷却構造では、上端面部１６２ａ、第一放熱面部１６２ｂ、第一側面部１６２ｃ、及び第一接合部１６２ｄが、本発明の「第一端子部」に相当し、第二放熱面部１６２ｅ、第二側面部１６２ｆ、及び第二接合部１６２ｇが、本発明の「第二端子部」に相当している。
【００５４】
３−２．実施の形態３の二次電池の冷却構造の変形例
実施の形態３の二次電池１００は、以下のように変形した冷却構造を採用してもよい。
【００５５】
第二接合部１６２ｇ及び第二側面部１６２ｆの形状は上述のものに限られない。すなわち、第二接合部１６２ｇ及び第二側面部１６２ｆは、第二放熱面部１６２ｅと電極体１０の露出部１０２とを電気的に接続するように構成されていれば、その形状に限定はない。
【００５６】
実施の形態３の二次電池１００は、実施の形態２の二次電池１００の冷却構造と組み合わせてもよい。図８は、実施の形態３の変形例に係る二次電池を正極側の側面から見た部分断面図である。この図に示す変形例に係る二次電池１００では、集電端子１６２は、第二側面部１６２ｆ及び第二接合部１６２ｇを備えるとともに、セルケース１２は凹部１２６を備えている。このような構成によれば、集電端子１６２において発生するジュール熱を減少させるとともに集電端子１６２からセルケース１２へと放出される熱量をさらに増やすことができるので、二次電池１００の性能低下を更に抑えることが可能となる。
【００５７】
４．実施の形態４．
実施の形態４の二次電池の冷却構造について説明する。
【００５８】
４−１．実施の形態４に係る二次電池の冷却構造の特徴
図９は、実施の形態４に係る二次電池を正極側の側面から見た部分断面図である。なお、この図において、図３に示す実施の形態１に係る二次電池１００と共通する要素については、同じ符号を付してその説明を省略又は簡略化する。また、以下の説明では、正極側の集電端子１６２を例に説明するが、負極側の集電端子１６４についても同等の構成を備えているものとする。
【００５９】
図９に示すように、実施の形態４に係る二次電池の冷却構造では、二次電池１００のセルケース１２の側面部１２２ｂ，１２２ｃにそれぞれセパレータ３０が密接して配置されている。二次電池１００は、セパレータ３０を挟んで複数個積層されている。二次電池１００の側面部１２２ｂと面するセパレータ３０の側面の側には、正面視において第一放熱面部１６２ｂと向かい合う位置に、集電端子１６２を冷却するための熱媒体が流通するための熱媒体通路３２ａが形成されている。また、二次電池１００の側面部１２２ｃと面するセパレータ３０の側面の側には、正面視において第二放熱面部１６２ｅと向かい合う位置に、集電端子１６２を冷却するための熱媒体が流通するための熱媒体通路３２ｂが形成されている。ここでの熱媒体は、例えば空気を用いることができる。
【００６０】
以上のように構成された実施の形態４の二次電池１００の冷却構造によれば、第一放熱面部１６２ｂ及び第二放熱面部１６２ｅからセルケース１２に放出された熱を、熱媒体通路３２を流通する熱媒体によって効果的に持ち去ることができる。これにより、集電端子１６２の過熱を防ぐことができるので、二次電池１００の性能低下を有効に抑制することが可能となる。
【００６１】
なお、実施の形態４の二次電池１００の冷却構造では、上端面部１６２ａ、第一放熱面部１６２ｂ、第一側面部１６２ｃ、及び第一接合部１６２ｄが、本発明の「第一端子部」に相当し、第二放熱面部１６２ｅが、本発明の「第二端子部」に相当している。
【００６２】
４−２．実施の形態４の二次電池の冷却構造の変形例
実施の形態４の二次電池１００の冷却構造は、以下のように変形した構造を採用してもよい。
【００６３】
二次電池１００の冷却構造は、実施の形態２又は３に係る二次電池１００の冷却構造を採用してもよい。また、セパレータ３０の熱媒体通路３２の形状には限定はない。
【符号の説明】
【００６４】
１０  電極体
１２  セルケース
１４  絶縁フィルム
２０  シール部
３０  セパレータ
３２ａ，３２ｂ  熱媒体通路
１００  二次電池
１０２，１０４        露出部
１２２  ケース本体
１２２ａ  底面部
１２２ｂ，１２２ｃ，１２２ｄ，１２２ｅ  側面部
１２４  上蓋
１２６  凹部
１６２，１６４  集電端子
１６２ａ  上端面部
１６２ｂ  第一放熱面部
１６２ｃ  第一側面部
１６２ｄ  第一接合部
１６２ｅ  第二放熱面部
１６２ｆ  第二側面部
１６２ｇ  第二接合部
１８２，１８４  外部端子
１８２ａ，１８４ａ  先端部
【図１】
2020107439.tif 000003
【図２】
2020107439.tif 000004
【図３】
2020107439.tif 000005
【図４】
2020107439.tif 000006
【図５】
2020107439.tif 000007
【図６】
2020107439.tif 000008
【図７】
2020107439.tif 000009
【図８】
2020107439.tif 000010
【図９】
2020107439.tif 000011